(57)【要約】【課題】使用者の体格が変化した場合にも、施療部を確実にマッサージする。【解決手段】本発明のマッサージ機１は、施療部にマッサージ部材を押し付けてマッサージを行うマッサージ機１において、前記マッサージ部材の施療部側を向く面には、施療部側に向かって突出すると共に、折り曲げ可能に形成された複数の棒状施療突起１５が面状に分布するように配備されていて、複数の棒状施療突起１５を施療部に押し当てることにより、施療部のマッサージを可能とすることを特徴とする。【選択図】図１
2014100229.tif 000002
【特許請求の範囲】
【請求項１】
施療部にマッサージ部材を押し付けてマッサージを行うマッサージ機において、
前記マッサージ部材の施療部側を向く面には、施療部側に向かって突出すると共に、折り曲げ可能に形成された複数の棒状施療突起が面状に分布するように配備されていて、
前記複数の棒状施療突起を施療部に押し当てることにより、前記施療部のマッサージを可能とすることを特徴とするマッサージ機。
【請求項２】
前記棒状施療突起は弾性樹脂で形成されていて、長手方向の基端部又は中途部から湾曲乃至は屈曲可能となるように構成されていることを特徴とする請求項１に記載のマッサージ機。
【請求項３】
前記マッサージ部材の反施療部側の面には、前記棒状施療突起とは長さが異なる他の棒状施療突起が複数設けられ、
前記他の棒状施療突起が施療部側へ指向可能に構成されていることを特徴とする請求項１または２に記載のマッサージ機。
【請求項４】
前記マッサージ部材の反施療部側の面には、前記棒状施療突起とは屈曲の仕方が異なる他の棒状施療突起が複数設けられ、
前記他の棒状施療突起が施療部側へ指向可能に構成されていることを特徴とする請求項１または２に記載のマッサージ機。
【発明の詳細な説明】
【技術分野】
【０００１】
本発明は、痛みなどの不快な感覚を伴わずに施療部を確実にマッサージすることができるマッサージ機に関するものである。
【背景技術】
【０００２】
従来から、首部、肩部、腰部、下肢部といった施療部に対してマッサージを行う際には、これらの施療部を押圧してマッサージすることが可能なマッサージ部が用いられている。これらのマッサージ部としては、例えばエア式やメカ式のようにマッサージの際に膨張などを起こして施療部を直接押圧するものが用いられることが多い。しかし、特に施療部に対して強いマッサージ効果を得たい場合には、指圧片のような硬質の部材をこれらのマッサージ部の表面に取り付けて、指圧片で施療部をピンポイントで強く押圧することにより指圧に近いマッサージ効果を発揮させる場合がある。
【０００３】
例えば、特許文献１には、エア式で膨張・収縮するエアセルに板状の揺動片を取り付け、この揺動片の表面にさらに指圧片を突出状に設けたマッサージ機が開示されている（図４参照）。この特許文献１のマッサージ機では、エアセルに空気を供給してエアセルを膨張させると板状の揺動片が揺動して使用者の施療部に向かって移動し、揺動片の表面に取り付けられた指圧片が施療部に押し当てられて、施療部をマッサージすることが可能となる。
【先行技術文献】
【特許文献】
【０００４】
【特許文献１】特許第４０６５２９２号公報
【発明の概要】
【発明が解決しようとする課題】
【０００５】
上述した特許文献１のマッサージ機は、施療部の中でも特に「こり」がひどい部分や「つぼ」のようなピンポイントの施療部に、指圧片を押し当ててマッサージを行う構成とされている。
しかしながら、マッサージ機を使用する使用者（ユーザ）には体格が大きい人間もいれば、小さい人間もいる。それゆえ、標準的な体格の人間に合わせて指圧片などのマッサージ部を配置すると、体格が大きい人や小さな人では指圧片の位置が施療部からずれて、施療が必要ない場所をマッサージすることになったり、場合によっては痛みなどが伴ってリラクゼーションを得られなくなったりすることも考えられる。
【０００６】
本発明は、上記の事情を鑑みてなされたものであり、痛みなどの不快な感覚を伴わずに施療部を確実にマッサージすることができるマッサージ機を提供することを目的とする。
【課題を解決するための手段】
【０００７】
前記目的を達成するために、本発明は次の手段を講じた。
すなわち、本発明に係るマッサージ機は、施療部にマッサージ部材を押し付けてマッサージを行うマッサージ機において、前記マッサージ部材の施療部側を向く面には、施療部側に向かって突出すると共に、折り曲げ可能に形成された複数の棒状施療突起が面状に分布するように配備されていて、前記複数の棒状施療突起を施療部に押し当てることにより、前記施療部のマッサージを可能とすることを特徴とする。
【０００８】
好ましくは、前記棒状施療突起は弾性樹脂で形成されていて、長手方向の基端部又は中途部から湾曲乃至は屈曲可能となるように構成されているとよい。
好ましくは、前記マッサージ部材の反施療部側の面には、前記棒状施療突起とは長さが異なる他の棒状施療突起が複数設けられ、前記他の棒状施療突起が施療部側へ指向可能に構成されているとよい。
【０００９】
好ましくは、前記マッサージ部材の反施療部側の面には、前記棒状施療突起とは屈曲の仕方が異なる他の棒状施療突起が複数設けられ、前記他の棒状施療突起が施療部側へ指向可能に構成されているとよい。
【発明の効果】
【００１０】
本発明に係るマッサージ機によれば、痛みなどの不快な感覚を伴わずに施療部を確実且つ効果的にマッサージすることができる。
【図面の簡単な説明】
【００１１】
【図１】本発明の実施の形態に係るマッサージ機の斜視図である。
【図２】マッサージ機を後面側から見た図であり、図１の矢印Ａ側から見た図である。
【図３】マッサージ機の内部構造を示す上面斜視図である。
【図４】マッサージ部の拡大斜視図である。
【図５】棒状施療突起の屈曲状態を示す図である。
【図６】第２カバー部材を反転して付け替えた様子を示している。
【発明を実施するための形態】
【００１２】
本発明の実施の形態を図面を参照して説明する。
以下の実施形態では床面上に載置されて使用される載置型マッサージ機を例に挙げて本発明のマッサージ機１を説明する。
図１〜図６に示すように、本実施形態のマッサージ機１は、床面上に載置されて使用されるものであり、使用者の足Ｆ（下肢であって足首から先の部分）をマッサージするものである。
【００１３】
以下、図１に示した方向に基づき説明を進める。この方向によれば、図２の左右方向がマッサージ機１の右左方向（幅方向）であり、図２の紙面貫通方向がマッサージ機１の後前方向である。図２の上下方向をマッサージ機１の上下方向とする。
図１及び図２に示す如く、マッサージ機１は、床に載置可能とされた本体部２を有し、この本体部２の上面には、使用者の左足（施療部）を両側から挟み込むようにマッサージする左マッサージ部３と、右足を両側から挟み込むようにマッサージする右マッサージ部４と、が左右に並んで配備されている。これら左右のマッサージ部３、４は、図示を省略するカバーで覆われており、マッサージ機１の本体部２に内蔵された駆動機構５により駆動される。
【００１４】
なお、本体部２の上面には、左右のマッサージ部３、４よりも前側（使用者に近い側）に、足Ｆの裏を適度に刺激する複数の突起６が設けられている。また、本体部２の上面前側の中央側には、上述した駆動機構５をオン／オフさせてマッサージ動作を起動／停止させたり、駆動機構５に指令を送ってマッサージ速度やマッサージパターンを変更するためのスイッチを有する操作部７が設けられている。
【００１５】
以下、本発明のマッサージ機１の構成を順番に説明する。
図１に示すようにマッサージ機１の本体部２は、平面視で左右方向に長い矩形状とされたケーシングを有している。このケーシングは、上方開放状の下部ケーシング８と、この下部ケーシング８に嵌り合う下方開放状とされた上部ケーシング９とを有している。本体部２は、下部ケーシング８に上部ケーシング９が嵌り合うことで、これらの内部に収容空間を有する本体部２が構成されている。
【００１６】
下部ケーシング８の下面側四隅部には、下方突出状に設けられた脚部１０が備えられており、この各脚部１０の下部には、ゴム等からなる防振部材が設けられている。
上部ケーシング９の上面後側には開口部１１が形成され、この開口部１１に上述した左マッサージ部３と右マッサージ部４とが左右に並んで配備されている。これら左右のマッサージ部３、４は、いずれも次に示すような３つのマッサージ部材から構成されている。
【００１７】
図２に示すように、左マッサージ部３を例に挙げれば、この左マッサージ部３は、施療部である左足Ｆに対して上方から押し当てられてマッサージを行うアーム部材１２（揺動するマッサージ部材）、このアーム部材１２とは反対の側（左側面）から左足Ｆに接触してマッサージ効果を与えるマッサージ板１３（固定状のマッサージ部材）、左足Ｆの裏に対して下方から押し当てられてマッサージを行うマッサージローラ１４（回転するマッサージ部材）から構成されている。
【００１８】
これらアーム部材１２、マッサージ板１３、マッサージローラ１４は右マッサージ部４にも同様に配備されている。すなわち、右マッサージ部４には、施療部である右足Ｆに対して上方から押し当てられてマッサージを行うアーム部材１２、このアーム部材１２とは
反対の側（右側面）から右足Ｆに接触してマッサージ効果を与えるマッサージ板１３、右足Ｆの裏に対して下方から押し当てられてマッサージを行うマッサージローラ１４が備えられている。
【００１９】
図１、図２などから明らかなように、これら左右のマッサージ部３、４は互いに左右反転している点を除けば略同じ構造を備えている。それゆえ、以降の説明では、左マッサージ部３を例に挙げて説明を行い、右マッサージ部４に関しては説明を省略する。
左マッサージ部３のアーム部材１２は、上述した上部ケーシング９の開口部１１を通り抜けて本体部２の内部から本体部２の上方へ突出する長尺棒状の部材として設けられている。このアーム部材１２の先端部（上端部）は、基端側よりも広幅に形成されており、幅方向外側（左側）の表面には、複数の棒状施療突起１５が面状に分布して設けられている。なお、この棒状施療突起１５については、後ほど詳しく述べる。
【００２０】
アーム部材１２の基端部（下端部）は、図４に示すように環状とされており、後述する駆動機構５の回転軸１６に交差するように連結されており、回転軸１６を回転させることで左右方向に揺動するようになっていて、図１に示す如く、施療部である足Ｆを挟み込みながらマッサージできるようになっている。
左マッサージ部３のマッサージ板１３は、上述したアーム部材１２に対面するように、開口部１１を挟んでアーム部材１２の左側に垂直固定状に配備されている。このマッサージ板１３は、左足Ｆの外方へ向かった移動（左方移動）を規制するために本体部２に固定された状態で設けられており、上述したアーム部材１２との間に、施療部である左足Ｆを挟み込めるようになっている。また、このマッサージ板１３の前後幅はアーム部材１２と略同じとされ、またマッサージ板１３の高さは、標準的な使用者の足Ｆの甲高さより高いもの（例えば、図例では５ｃｍ前後）とされている。
【００２１】
マッサージ板１３の先端部（上端部）には、幅方向内側（右側）を向く表面に、複数の棒状施療突起１５が面状に分布して設けられている。なお、この棒状施療突起１５については、後ほど詳しく述べる。
このマッサージ板１３の幅方向の厚み又はマッサージ板１３の幅方向の位置は、標準的な使用者の足Ｆのサイズに合わせて予め設定しても良いが、施療部の大きさ乃至は形状に合わせて可変としてもよい。例えば、このマッサージ板１３からアーム部材１２までの幅方向の間隔を自在に調整できるようにしたり、マッサージ板１３の高さを自在に変更できるようにすれば、マッサージ機１の利便性がより優れたものとなる。
【００２２】
左マッサージ部３のマッサージローラ１４は、左右方向に軸心を向けた円筒状に形成されたローラ本体１７と、このローラ本体１７の外周面に突出状に形成された複数の突起部１８とを備えている。このローラ本体１７は、上述した駆動機構５の回転軸１６、つまり左右方向を向く回転軸１６回りに回転自在となっており、駆動機構５を用いて回転させられることで外周面に設けられた複数の突起部１８により足裏を刺激できるようになっている。
【００２３】
なお、上述した左マッサージ部３のアーム部材１２、マッサージローラ１４、並びに右マッサージ部４のアーム部材１２、マッサージローラ１４は、以下に示す駆動機構５を用いて駆動される。
図２、図３に示すように、駆動機構５は、駆動部１９の電動モータで発生した回転駆動力を変換してアーム部材１２を揺動させるものであり、駆動部１９、変換部２０および規制部２１から構成されている。
【００２４】
駆動部１９は、本体部２（下部ケーシング８）の中央に駆動軸２２を前後方向に向けるようにして配置された電動モータと、電動モータで発生した回転駆動力を左右方向を向く回転軸１６に伝達する動力伝達部２３とで構成されている。電動モータは、図示しない制御部および電源部に接続され、使用者が操作部７を操作することにより、回転をＯＮ／ＯＦＦしたり、電動モータの回転数を変更したり、回転方向を（正転／逆転に）切り替えたりすることができるようになっている。また、この電動モータの駆動軸２２は前後方向に沿って配備されており、駆動軸２２の先端側が動力伝達部２３に接続されている。
【００２５】
動力伝達部２３は、前後方向を向く駆動軸２２の回転運動を、減速すると共に９０°回
転方向を切り替えて、左右方向に沿って配備された回転軸１６の回転運動に変換するものである。なお、本実施形態の動力伝達部２３は、ウォームギヤ及びウォームホイールから構成されている。
変換部２０は、左右方向を向いて配備された回転軸１６の回転運動を、アーム部材１２を左右方向に沿って揺動させる揺動運動へ変換するものである。変換部２０は、アーム部材１２の基端部に一体的に形成された環状嵌合部２４と、回転軸１６に固着されて回転運動する回転ボス部２５とで構成される。環状嵌合部２４は、回転ボス部２５の外周（周縁）に相対回転自在に嵌り込むように取り付けられている。さらに、変換部２０には、回転ボス部２５に対して環状嵌合部２４が供回りすることを規制する規制部２１が備えられている。
【００２６】
具体的には、回転ボス部２５の外周面（周縁面）には、回転軸１６に対して傾斜する軸心を有する略円形であって無端状の軌道（カム面）が形成されている。この軌道に沿って環状嵌合部２４は回転ボス部２５に対して相対回転自在となっている。なお、左マッサージ部３のアーム部材１２の回転ボス部２５に形成される軌道の傾斜方向は、右マッサージ部４のアーム部材１２の回転ボス部２５に形成される軌道の傾斜方向と逆向きになっていて、左マッサージ部３のアーム部材１２の揺動方向と右マッサージ部４のアーム部材１２の揺動方向とは互いに逆になるように設定されている。
【００２７】
規制部２１は、環状嵌合部２４から下方に向かって突出する棒状の規制突起２６と、この規制突起２６が嵌り込む規制溝部２７とで構成される。規制溝部２７の溝は、回転軸１６の軸心に沿うように左右方向に沿って形成されている。つまり、規制溝部２７は規制突起２６の左右方向に沿った移動は許容するが、規制突起２６の前後方向の動き、言い換えれば回転軸１６の軸心回りに環状嵌合部２４が回転することは許容しない。
【００２８】
それゆえ、回転軸１６が回転すると、回転ボス部２５が回転軸１６と共に回転して、この回転軸１６に対して傾斜した軌道に沿って環状嵌合部２４が摺動することになる。このとき、環状嵌合部２４は規制部２１によって回転運動が規制されているので、環状嵌合部２４は回転軸１６に沿って左右方向にだけ移動する。そして、下側の環状嵌合部２４が左右方向に移動することにより、アーム部材１２の上端が環状嵌合部２４とは反対側に向かって、言い換えれば環状嵌合部２４が左方向に移動した際にはアーム部材１２の上端は右方向に、また環状嵌合部２４が右方向に移動した際にはアーム部材１２の上端は左方向に揺動運動することになる。このアーム部材１２の揺動により、アーム部材１２〜マッサージ板１３間の間隔が拡縮し、施療部に対する挟み込みマッサージが行われる。
【００２９】
ところで、本発明のマッサージ機１は、施療部側に面するアーム部材１２及びマッサージ板１３の表面に、施療部側に向かって突出すると共に折り曲げ可能に形成された複数の棒状施療突起１５が面状に分布するように配備されていて、これら複数の棒状施療突起１５を施療部に押し当てることにより、施療部のマッサージを可能とすることを特徴としている。
【００３０】
具体的には、図４に示すように、アーム部材１２の上端側は、弾性樹脂から形成された第１カバー部材２８で被覆されていて、この第１カバー部材２８の表面に上述した複数の棒状施療突起１５が形成されている。
また、図１及び図２に示すように、上部ケーシング９の左右両端に設けられたマッサージ板１３にも、第１カバー部材２８と同様に弾性樹脂から形成された第２カバー部材２９が被せられていて、この第２カバー部材２９の表面に複数の棒状施療突起１５が形成されている。
【００３１】
これらの棒状施療突起１５はいずれも第１カバー部材２８、第２カバー部材２９の表面に射出成形などでカバー本体と一体に成形されたものであり、いずれも同様な作用効果を有している。以降では第１カバー部材２８の表面に形成された棒状施療突起１５を例に挙げて、本発明のマッサージ機１に設けられる棒状施療突起１５について詳しく説明する。
図４に示すように、棒状施療突起１５は、第１カバー部材２８の施療部側を向く表面に、ほぼ等間隔をあけて面状に分布するように配備されている。つまり、左マッサージ部３のアーム部材１２に設けられた第１カバー部材２８では左側を向く面に棒状施療突起１５
が複数形成されており、右マッサージ部４のアーム部材１２に設けられた第１カバー部材２８では右側を向く面に棒状施療突起１５が複数形成されている。
【００３２】
これらの棒状施療突起１５は、第１カバー部材２８に対して、１０個〜５０個程度、図例では各第１カバー部材２８に前後方向に８列で上下方向に３〜４列、合計で約３０個ずつ形成されている。また、棒状施療突起１５は、いずれも隣接する突起との間にほぼ突起１個分の間隔をあけて配備されてされており、第１カバー部材２８の表面にほぼ均等に分布している。なお、棒状施療突起１５を不均等な分布で設けるようにしてもよい。
【００３３】
上述した棒状施療突起１５のそれぞれは、５ｍｍ〜２０ｍｍ程度の径を備えると共に、５ｍｍ〜３０ｍｍ程度の長さの棒状の突起として形成されている。この棒状施療突起１５を形成する弾性樹脂には、ＳＢＲ、ＮＲ、ＢＲ、ＥＰＤＭなどのゴムやシリコン樹脂のような比較的弾性に富んだ樹脂（エラストマ）が用いられる。これらの弾性樹脂はフィラーや添加剤などを用いて粘弾性を調整した上で成形に用いられるのが好ましい。また、上述した弾性樹脂の中でも特に柔軟であっても反発性に優れたシリコンゴムやブタジエンゴムなどを用いるのが好ましい。
【００３４】
上述した棒状施療突起１５は、第１カバー部材２８の表面に設けられたものであったが、第２カバー部材２９に設けられたものにも同様な径・長さ・弾性樹脂を用いることができる。
次に、図５を用いて、本実施形態のマッサージ機１を用いたマッサージ方法、及びこのマッサージ機１を用いた場合に奏される作用効果について説明する。
【００３５】
具体的には、上述した分布状態や材質を備えた棒状施療突起１５を複数備えたマッサージ部を用いた場合には、次のような手順でマッサージが行われる。
図５（ａ）は施療部に押し当てられていない状態、言い換えればマッサージを行う前の状態における棒状施療突起１５を側方から見た図であり、図５（ｂ）は施療部に押し当てられた状態における棒状施療突起１５を側方から見た図である。
【００３６】
図５（ａ）に示すように、アーム部材１２及びマッサージ板１３が施療部から離反した状態で棒状施療突起１５が施療部に押し当てられていない場合、複数の棒状施療突起１５はアーム部材１２及びマッサージ板１３の表面から施療部側に向かって直線的に伸びており、いずれの棒状施療突起１５も湾曲や屈曲をしていない。
この図５（ａ）の状態における複数の棒状施療突起１５を、施療部に押し当てる場合を考える。なお、図中に示された施療部は、例えば足首の部分のように、マッサージを行いたい部分のすぐ横に、強く刺激すると痛みを伴うような部分が存在するものである。つまり、図中で緩やかに盛り上がった骨のある部分Ｂの先端を強く刺激すると痛みを伴うが、盛り上がった部分の裾野の部分Ｃを刺激すると快適なマッサージ考えられる場合を、以降の図５（ａ）及び図５（ｂ）に関する説明では想定している。
【００３７】
上述したように緩やかに盛り上がった施療部に複数の棒状施療突起１５を押し当てると、複数の棒状施療突起１５は図５（ｂ）に示すような状態に変化する。
すなわち、図５（ｂ）に示すように、アーム部材１２及びマッサージ板１３が施療部に押し当てられた状態においては、施療部と接触する位置にある一部の棒状施療突起１５に施療部から力が加わり、個々の棒状施療突起１５が長手方向の中途側から容易に湾曲又は屈曲し変形する。これは、個々の棒状施療突起１５が上述した弾性に富む弾性樹脂を用いて形成され、またそれぞれの棒状施療突起１５は径が小さく長さも長いため、個々の棒状施療突起１５が容易に変形を起こすからである。
【００３８】
つまり、複数の棒状施療突起１５のうち一部の棒状施療突起１５が、施療部以外の場所、例えば骨などがあって強くマッサージされると痛みを伴うような場所に当たった場合、従来型の硬質な材料で形成された施療子や施療片であれば痛みなどによりリラクゼーションを得られなくなることも考えられる。
しかし、本発明のマッサージ部のように、個々の棒状施療突起１５が容易に変形を起こすものであれば、棒状施療突起１５が屈曲等して施療部から加わる力を逃がし、施療部に痛みなどを及ぼすこともなくなる。
【００３９】
例えば、体格が大きい使用者や逆に体格が小さな使用者がマッサージ機１を用いた場合
には、施療部の位置が変わることがあり、単数又は２、３個程度の施療子や施療片では施療部をカバーできない場合もある。
このような場合であっても、本発明のマッサージ部のように棒状施療突起１５が複数設けられていれば、面状に分布する棒状施療突起１５のどれかが施療部に当たり、位置が変わった場合にも施療部を確実にマッサージすることが可能となる。
【００４０】
なお、上述した複数の棒状施療突起１５を設ける場所は、マッサージ部の施療部側に面する表面に限定されない。例えば、上述した左右のマッサージ板１３に対しては、施療部側に面する側に第１の棒状施療突起３０を設けると共に、施療部側とは反対側の面に、第１の棒状施療突起３０とは突起の長さが異なる第２の棒状施療突起３１（他の棒状施療突起）を複数設けても良い。
【００４１】
例えば、図６に示す例は、左マッサージ部３のマッサージ板１３の両面に第１の棒状施療突起３０及び第２の棒状施療突起３１を設けたものである。
図６（ａ）に示す状態では、突起の長さが長い第１の棒状施療突起３０が施療部側を向き、突起の長さが短い第２の棒状施療突起３１が施療部側とは反対の側を向くようにして、第２カバー部材２９が取り付けられている。
【００４２】
ここで、マッサージ機１を使用する使用者が変わり、使用者の足Ｆのサイズが大きくなった場合を考える。このような場合は、突起の長さが長い第１の棒状施療突起３０を用いて施療部をマッサージしようとすると、アーム部材１２〜マッサージ板１３間の間隔が狭くなりすぎて、施療部に対する押圧力が過大になることが考えられる。
そこで、図６（ｂ）に示すように、一旦第２カバー部材２９を本体部２の上面（上部ケーシング９）から取り外し、突起の長さが長い第１の棒状施療突起３０を施療部側とは反対側に向け、突起の長さが短い第２の棒状施療突起３１を施療部側に向けるようにして、第２カバー部材２９を向きを変えて本体部２の上面に付け替える。このようにすれば、アーム部材１２〜マッサージ板１３間の間隔が広くなり、施療部に対する押圧力を適切なものとすることができ、使用者の体格が大きくなった場合にも十分なマッサージ効果が得られるようになる。すなわち、着脱反転可能な第２カバー部材２９を用いることで、マッサージ板１３（マッサージ部材）の反施療部側の面には、棒状施療突起３０とは長さが異なる他の棒状施療突起３１が複数設けられ、他の棒状施療突起３１が施療部側へ指向可能に構成されることになる。
【００４３】
なお、第１の棒状施療突起３０と第２の棒状施療突起３１とは、互いに屈曲の仕方が異なるものであってもよい。例えば、第２の棒状施療突起３１を第１の棒状施療突起３０より弾性の大きな材料で形成したり、突起の径を小さくしても、棒状施療突起１５が施療部を押し返す力を大きくすることが可能になるからである。
なお、第２カバー部材２９と同様な構成（着脱可能であって、第１の棒状施療突起３０と第２の棒状施療突起３１とを有する構成）を第１カバー部材２８にも採用し、アーム部材１２に対して、第１カバー部材２８を反転装着可能にしてもよい。
【００４４】
また、棒状施療突起１５をマッサージローラ１４の外周面に設けることで、更に効果的なマッサージを実現できる。
以上述べたように、本発明のマッサージ機１を用いることで、痛みなどの不快な感覚を伴わずに施療部を確実且つ効果的にマッサージすることが可能となる。
なお、今回開示された実施形態において、明示されていない事項、例えば、作動条件や操作条件、構成物の寸法、重量などは、当業者が通常実施する範囲を逸脱するものではなく、通常の当業者であれば、容易に想定することが可能な事項を採用している。
【００４５】
上記実施形態では、アーム部材１２とマッサージ板１３との双方に複数の棒状施療突起１５が設けられた例を挙げたが、例えばマッサージ板１３には棒状施療突起１５が設けられていないものを用い、アーム部材１２だけに複数の棒状施療突起１５を設けても良い。また、アーム部材１２に棒状施療突起１５が設けられていないものを用い、マッサージ板１３だけに複数の棒状施療突起１５を設けても良い。
【００４６】
また、上記実施形態では、固定されたマッサージ板１３に対してアーム部材１２が揺動する例を挙げたが、例えば固定されたアーム部材１２に対してマッサージ板１３が動くマ
ッサージ機や、アーム部材１２とマッサージ板１３との双方が互いに近接離反するように揺動するマッサージ機にも、上述した複数の棒状施療突起１５を設けることができる。
さらに、上記実施形態では、マッサージ板１３の左右両面に棒状施療突起３０、３１が複数設けらた例を挙げたあ、この構造をアーム部材１２に採用することも可能である。
【符号の説明】
【００４７】
１  マッサージ機
２  本体部
３  左マッサージ部
４  右マッサージ部
５  駆動機構
６  突起
７  操作部
８  下部ケーシング
９  上部ケーシング
１０  脚部
１１  開口部
１２  アーム部材
１３  マッサージ板
１４  マッサージローラ
１５  棒状施療突起
１６  回転軸
１７  ローラ本体
１８  突起部
１９  駆動部
２０  変換部
２１  規制部
２２  駆動軸
２３  動力伝達部
２４  環状嵌合部
２５  回転ボス部
２６  規制突起
２７  規制溝部
２８  第１カバー部材
２９  第２カバー部材
３０  第１の棒状施療突起
３１  第２の棒状施療突起
Ｆ  足
【図１】
2014100229.tif 000003
【図２】
2014100229.tif 000004
【図３】
2014100229.tif 000005
【図４】
2014100229.tif 000006
【図５】
2014100229.tif 000007
【図６】
2014100229.tif 000008